【手続補正書】
【提出日】平成18年5月10日(2006.5.10)
【手続補正１】
【補正対象書類名】特許請求の範囲
【補正対象項目名】全文
【補正方法】変更
【補正の内容】
【特許請求の範囲】
【請求項１】
医薬製剤を患者に送達するためのシステムであって、
少なくとも1種の医薬を含む医薬製剤を内部に有する容器；
該容器に連通した状態の計量アセンブリー；
該計量アセンブリーに連通するようにサイズが構成された入口と患者の方向に該医薬を方向付けるための出口とを有する管状ノズル、ここで、該管状ノズルは、少なくとも1つの曲線部分を有する；
を備え、
該管状ノズルが、既定の長さを有し、かつ該管状ノズルの該既定の長さ全体にわたり曲直線をなす長手軸を有し、該管状ノズルが、該曲線部分内に存在する該管状ノズルの内径の少なくとも2.5倍の曲率半径を有する、上記システム。
【請求項２】
前記管状ノズルが少なくとも1つのテーパー領域を含む、請求項１に記載のシステム。
【請求項３】
前記少なくとも1つのテーパー領域が約45°未満の角度Θを有する、請求項２に記載のシステム。
【請求項４】
前記少なくとも1つのテーパー領域が前記管状ノズルの近位端に位置決めされる、請求項２に記載のシステム。
【請求項５】
前記少なくとも1つのテーパー領域が前記管状ノズルの遠位端に位置決めされる、請求項２に記載のシステム。
【請求項６】
前記少なくとも1つのテーパー領域が前記管状ノズルの遠位端の方向に減少する、請求項２に記載のシステム。
【請求項７】
前記少なくとも1つのテーパー領域が遠位端の方向に増大する、請求項２に記載のシステム。
【請求項８】
前記管状ノズルが少なくとも1つの直線部分を含む、請求項１に記載のシステム。
【請求項９】
前記管状ノズルが、前記管状ノズルの遠位端および前記管状ノズルの近位端に位置する複数の直線部分を含む、請求項８に記載のシステム。
【請求項１０】
前記管状ノズルが少なくとも1つのスロートを含む、請求項１に記載のシステム。
【請求項１１】
前記管状ノズルが金属材料から構築される、請求項１に記載のシステム。
【請求項１２】
前記金属材料が、ステンレス鋼、金、ニッケル、黄銅、アルミニウム、チタン、タンタル、鉄、およびそれらの組合せよりなる群から選択される金属を含む、請求項１１に記載のシステム。
【請求項１３】
前記管状ノズルが高分子材料から構築される、請求項１に記載のシステム。
【請求項１４】
前記高分子材料が、ポリエチレン(PE)、ポリプロピレン(PP)、ポリメチルメタクリレート(PMMA)、ポリビニルクロリド(PVC)、ポリビニリデンクロリド(PVDC)、ポリビニルフルオリド(PVF)、ポリビニリデンフルオリド(PVDF)、ポリクロロトリフルオロエチレン(PCTFE)、ポリテトラフルオロエチレン(PTFE)、フッ素化エチレンプロピレン(FEP)、ペルフルオロアルコキシ(PFA)、ポリアミド(PA)、ポリエチレンテレフタレート(PET)、ポリブチレンテレフタレート(PBT)、ポリエーテルイミド(PEI)、ポリアミドイミド(PAI)、ポリイミド(PI)、ポリスルホン(PS)、ポリアリールスルホン(PAS) ポリエーテルスルホン(PES)、ポリフェニレンスルフィド(PPS)、ポリエーテルエーテルケトン(PEEK)、ポリジメチルシロキサン(PDMS)、およびポリカーボネート(PC)、それらの組合せおよびそれらのブレンドよりなる群から選択される、請求項１３に記載のシステム。
【請求項１５】
前記医薬が、鎮痛剤、狭心症調剤、抗アレルギー剤、抗感染剤、抗ヒスタミン剤、抗炎症剤、鎮咳剤、利尿剤、ホルモン、治療用タンパク質、ペプチド、勃起不全を治療する医薬、およびそれらの組合せよりなる群から選択される、請求項１に記載のシステム。
【請求項１６】
前記少なくとも1種の医薬が、フルチカゾン、ベクロメタゾン、サルメテロール、アルブテロール、イプラトロピウム、それらの塩、それらのエステル、それらの溶媒和物、およびそれらの組合せよりなる群から選択される、請求項１に記載のシステム。
【請求項１７】
前記少なくとも1種の医薬が硫酸アルブテロールを含む、請求項１に記載のシステム。
【請求項１８】
前記少なくとも1種の医薬がキシナホ酸サルメテロールおよびプロピオン酸フルチカゾンを含む、請求項１に記載のシステム。
【請求項１９】
前記少なくとも1種の医薬がプロピオン酸フルチカゾンを含む、請求項１に記載のシステム。
【請求項２０】
前記少なくとも1種の医薬がジプロピオン酸ベクロメタゾンを含む、請求項１に記載のシステム。
【請求項２１】
前記管状ノズルの出口が実質的に水平に方向付けられる、請求項１に記載のシステム。
【請求項２２】
前記システムが経口吸入器として存在する、請求項１に記載のシステム。
【請求項２３】
前記システムが経鼻吸入器として存在する、請求項１に記載のシステム。
【請求項２４】
少なくとも1つの追加の管状ノズルをさらに含む、請求項１に記載のシステム。
【請求項２５】
前記システムが経口吸入器として存在し、かつ前記容器がキャニスターとして存在し、前記医薬製剤が、少なくとも1種の医薬と少なくとも1種と噴射剤とを含む医薬用エアロゾル製剤として存在し、前記計量アセンブリーが、バルブステムを含む計量バルブアセンブリーとして存在し、前記少なくとも1種の医薬を送出するための通路が、該バルブステム中に位置決めされ；かつ前記管状ノズルの入口が、該送出通路に連通するようにサイズが構成される、請求項１に記載のシステム。
【請求項２６】
前記管状ノズルの入口が前記送出通路に実質的にアライメントされる、請求項２５に記載のシステム。
【請求項２７】
前記管状ノズルが少なくとも1つのテーパー領域を含む、請求項２５に記載のシステム。
【請求項２８】
前記少なくとも1つのテーパー領域が約45°未満の角度Θを有する、請求項２７に記載のシステム。
【請求項２９】
前記少なくとも1つのテーパー領域が前記管状ノズルの近位端に位置決めされる、請求項２７に記載のシステム。
【請求項３０】
前記少なくとも1つのテーパー領域が前記管状ノズルの遠位端に位置決めされる、請求項２７に記載のシステム。
【請求項３１】
前記少なくとも1つのテーパー領域が前記管状ノズルの遠位端の方向に減少する、請求項２７に記載のシステム。
【請求項３２】
前記少なくとも1つのテーパー領域が遠位端の方向に増大する、請求項２７に記載のシステム。
【請求項３３】
前記管状ノズルが少なくとも1つの直線部分を含む、請求項２５に記載のシステム。
【請求項３４】
前記管状ノズルが、前記管状ノズルの遠位端および前記管状ノズルの近位端に位置する複数の直線部分を含む、請求項３３に記載のシステム。
【請求項３５】
前記管状ノズルが少なくとも1つのスロートを含む、請求項２５に記載のシステム。
【請求項３６】
前記吸入器が、前記キャニスターを内包する作動手段をさらに含み、かつ該作動手段が、患者への医薬の送達を支援する、請求項２５に記載のシステム。
【請求項３７】
出口を有するマウスピースをさらに備え、前記管状ノズル出口を含む前記管状ノズルの部分が該マウスピース中に位置決めされる、請求項２５に記載のシステム。
【請求項３８】
前記管状ノズルの出口が吐出オリフィスを有し、かつ該吐出オリフィスが前記マウスピースの出口と実質的に同一平面上にある、請求項３７に記載のシステム。
【請求項３９】
前記管状ノズルの吐出オリフィスが前記マウスピースの出口から後退している、請求項３７に記載のシステム。
【請求項４０】
前記管状ノズル出口を含む前記管状ノズルの部分が前記マウスピースの中心軸と同軸である、請求項３７に記載のシステム。
【請求項４１】
前記管状ノズル出口が前記マウスピースの中心軸に対して約0°〜約30°の範囲の角度をなす、請求項３７に記載のシステム。
【請求項４２】
前記管状ノズルの近位端を収容するコネクターをさらに備え、かつ該コネクターが前記バルブステムに係合する、請求項２５に記載のシステム。
【請求項４３】
前記管状ノズルおよび前記コネクターが同一の材料から構築される、請求項４２に記載のシステム。
【請求項４４】
前記管状ノズルおよび前記コネクターが異なる材料から構築される、請求項４２に記載のシステム。
【請求項４５】
前記管状ノズルが金属材料から構築される、請求項２５に記載のシステム。
【請求項４６】
前記金属材料が、ステンレス鋼、金、ニッケル、黄銅、アルミニウム、チタン、タンタル、鉄、およびそれらの組合せよりなる群から選択される金属を含む、請求項４５に記載のシステム。
【請求項４７】
前記管状ノズルが高分子材料から構築される、請求項２５に記載のシステム。
【請求項４８】
前記高分子材料が、ポリエチレン(PE)、ポリプロピレン(PP)、ポリメチルメタクリレート(PMMA)、ポリビニルクロリド(PVC)、ポリビニリデンクロリド(PVDC)、ポリビニルフルオリド(PVF)、ポリビニリデンフルオリド(PVDF)、ポリクロロトリフルオロエチレン(PCTFE)、ポリテトラフルオロエチレン(PTFE)、フッ素化エチレンプロピレン(FEP)、ペルフルオロアルコキシ(PFA)、ポリアミド(PA)、ポリエチレンテレフタレート(PET)、ポリブチレンテレフタレート(PBT)、ポリエーテルイミド(PEI)、ポリアミドイミド(PAI)、ポリイミド(PI)、ポリスルホン(PS)、ポリアリールスルホン(PAS) ポリエーテルスルホン(PES)、ポリフェニレンスルフィド(PPS)、ポリエーテルエーテルケトン(PEEK)、ポリジメチルシロキサン(PDMS)、およびポリカーボネート(PC)、それらの組合せおよびそれらのブレンドよりなる群から選択される、請求項４７に記載のシステム。
【請求項４９】
前記管状ノズルの入口の直径が前記送出通路の直径に類似している、請求項２５に記載のシステム。
【請求項５０】
前記医薬が、鎮痛剤、狭心症調剤、抗アレルギー剤、抗感染剤、抗ヒスタミン剤、抗炎症剤、鎮咳剤、利尿剤、ホルモン、治療用タンパク質、ペプチド、勃起不全を治療する医薬、およびそれらの組合せよりなる群から選択される、請求項２５に記載のシステム。
【請求項５１】
前記少なくとも1種の医薬が、フルチカゾン、ベクロメタゾン、サルメテロール、アルブテロール、イプラトロピウム、それらの塩、それらのエステル、それらの溶媒和物、およびそれらの組合せよりなる群から選択される、請求項２５に記載のシステム。
【請求項５２】
前記少なくとも1種の医薬が硫酸アルブテロールを含む、請求項２５に記載のシステム。
【請求項５３】
前記少なくとも1種の医薬がキシナホ酸サルメテロールおよびプロピオン酸フルチカゾンを含む、請求項２５に記載のシステム。
【請求項５４】
前記少なくとも1種の医薬がプロピオン酸フルチカゾンを含む、請求項２５に記載のシステム。
【請求項５５】
前記少なくとも1種の医薬がジプロピオン酸ベクロメタゾンを含む、請求項２５に記載のシステム。
【請求項５６】
前記管状ノズルの出口が実質的に水平に方向付けられる、請求項２５に記載のシステム。
【請求項５７】
少なくとも1つの追加の管状ノズルをさらに含む、請求項２５に記載のシステム。